(57)【要約】【課題】ネットワークを介して電子メールを受信して蓄積することが可能な電子メール処理装置を設置する場所が限られることなく、子機を携帯していれば電子メール処理装置に電子メールが着信したことを知ることができるコードレス電話機を提供する。【解決手段】電話回線に接続される親機４と複数の子機とで構成されるコードレス電話機の子機５において、インターネットを介して電子メールを受信することが可能なＰＣ３と通信する子機５ａは、ＰＣ３から通知される電子メールを受信したことを示す着信通知を、ＰＣ３と接続されていない子機５ｂへ通知する。着信通知を受信した子機５ｂは、電子メールが着信したことを報知して、電子メールの送信要求を示す送信要求通知を子機５ａへ送信する。この送信要求通知により、子機５ａから電子メールを子機５ｂが受信し、ＬＣＤなどに電子メールを表示する。【選択図】図１
2006135476.tif 000002
【特許請求の範囲】
【請求項１】
電話回線に接続される親機と、前記親機と無線通信を行う複数の子機とで構成されるコードレス電話機において、
前記子機は、ネットワークを介して電子メールを受信して蓄積することが可能な電子メール処理装置と通信する通信手段と、
前記電子メール処理装置から通知される電子メールを受信したことを示す着信通知を、前記他の子機へ通知する着信通知手段と、
前記着信通知を受信したことを報知する報知手段と、
前記着信通知に応答して電子メールの送信要求を示す送信要求通知を、前記着信通知を送信した子機へ送信する送信要求手段と、
前記送信要求通知に応答して電子メールを送信する電子メール処理手段と、
前記送信要求通知に応答して受信された電子メールを表示する表示手段とを備えたことを特徴とするコードレス電話機。
【請求項２】
前記送信要求手段は、前記送信要求通知を送信する際に、認証を得るための識別情報を付加して前記着信通知を送信した子機へ送信する機能を備え、
前記電子メール処理手段は、前記送信要求通知に付加された識別情報で認証が得られれば、電子メールを送信する機能を備えたことを特徴とする請求項１記載のコードレス電話機。
【請求項３】
前記電子メール処理手段は、認証を得るための識別情報を前記電子メール処理装置へ前記通信手段を介して送信し、前記電子メール処理装置での認証が得られれば、前記電子メール処理装置から電子メールを読み込んで、この電子メールを前記送信要求通知を送信した子機へ送信することを特徴とする請求項２記載のコードレス電話機。
【請求項４】
前記着信通知手段は、前記着信通知を送信する際に、電子メールの宛先アドレスを通知する機能を備え、
前記報知手段は、前記着信通知を受信したときに、前記宛先アドレスを表示することにより報知する機能を備えたことを特徴とする請求項１または２記載のコードレス電話機。
【請求項５】
複数の通信装置から構成され、そのうちの１台が電話回線に接続される親機であり、それ以外の通信装置が子機であり、前記複数の通信装置が、無線通信で接続されるコードレス電話機の通信装置間でのメール通信方法において、
ネットワークを介して電子メールを受信可能な電子メール受信装置と接続される前記複数の子機のうちの１台を接続子機として、前記電子メール受信装置から前記電子メールを受信したことを示す着信通知を受信すると、他の通信装置へブロードキャストで前記着信通知を通知する着信通知ステップと、
前記着信通知を受信した通信装置が、電子メールの送信要求を示す送信要求通知に、認証を得るための識別情報を付加して、前記接続子機へ送信する送信要求認証ステップと、
前記接続子機が、前記識別情報により認証が得られれば、電子メールを送信するメール送信ステップとを含むことを特徴とするコードレス電話機の通信装置間でのメール通信方法。
【請求項６】
前記送信要求認証ステップは、認証を得るための識別情報を前記電子メール処理装置へ送信し、前記電子メール処理装置での認証が得られれば、前記電子メール処理装置から電子メールを読み込んで、この電子メールを前記送信要求通知を送信した子機へ前記電子メールを送信することを特徴とする請求項５記載のコードレス電話機の通信装置間でのメール通信方法。
【請求項７】
前記着信通知ステップは、前記着信通知を送信する際に、電子メールの宛先アドレスとともに件名情報を通知し、
前記着信通知を受信した通信装置は、電子メールの宛先アドレスを報知手段に表示することを特徴とする請求項５または６記載のコードレス電話機の通信装置間でのメール通信方法。
【発明の詳細な説明】
【技術分野】
【０００１】
本発明は、電話回線に接続される親機と無線通信を行い、ネットワークを介して電子メールを受信して蓄積することが可能な電子メール処理装置と通信することが可能なコードレス電話機およびコードレス電話機の通信装置間でのメール通信方法に関する。
【背景技術】
【０００２】
コードレス電話機は、複数の通信装置を備え、そのうちの１台を電話回線と接続した親機とし、他の通信装置を子機として、それぞれ無線で通信することで、子機が家の中のどこにいても、親機または他の子機と通話することができるので、利便性が高い。
【０００３】
一方、パーソナルコンピュータ（以下、ＰＣと称す。）は、ネットワークの一つであるインターネットに接続して電子メールを送信したり、受信したりする電子メール処理装置として使用されることが多く、趣味やビジネスに急速に普及している。
【０００４】
このようなＰＣと通信可能なコードレス電話機が、ファクシミリ装置付きであるが、特許文献１に記載されている。
【０００５】
この特許文献１に記載のファクシミリシステムは、ＰＣと、コードレス電話付きファクシミリ装置とからなり、コードレス電話付きファクシミリ装置の親機に接続されたＰＣから電子メールの着信が通知されると、子機に電子メールの差し出し人や件名を通知するものである。
【特許文献１】特開２０００−１１５４４０号公報
【発明の開示】
【発明が解決しようとする課題】
【０００６】
しかし、特許文献１に記載のファクシミリシステムは、電子メールを受信するＰＣが、コードレス電話付きファクシミリ装置の親機に接続されているため、ＰＣの設置場所が限られる。
【０００７】
ＰＣは、一度設置すると余り移動しないデスクトップ型や可搬が容易なノート型などがある。例えば、特許文献１に記載のコードレス電話付きファクシミリ装置の親機の近傍に設置されたデスクトップ型ＰＣであれば親機との接続も容易であるが、親機が１階にあり、デスクトップ型ＰＣが２階にある場合や、ノート型ＰＣをいつも持ち歩いて、いろいろな部屋で使用する場合など、親機との接続には長いケーブルが必要となり容易ではない。
【０００８】
そこで本発明は、ネットワークを介して電子メールを受信して蓄積することが可能な電子メール処理装置を設置する場所が限られることなく、子機を携帯していれば電子メール処理装置に電子メールが着信したことを知ることができるコードレス電話機を提供することを目的とする。
【課題を解決するための手段】
【０００９】
本発明のコードレス電話機は、電話回線に接続される親機と、前記親機と無線通信を行う複数の子機とで構成されるコードレス電話機において、前記子機は、ネットワークを介して電子メールを受信して蓄積することが可能な電子メール処理装置と通信する通信手段と、前記電子メール処理装置から通知される電子メールを受信したことを示す着信通知を、前記他の子機へ通知する着信通知手段と、前記着信通知を受信したことを報知する報知手段と、前記着信通知に応答して電子メールの送信要求を示す送信要求通知を、前記着信
通知を送信した子機へ送信する送信要求手段と、前記送信要求通知に応答して電子メールを送信する電子メール処理手段と、前記送信要求通知に応答して受信された電子メールを表示する表示手段とを備えたことを特徴とする。
【００１０】
そして、本発明のコードレス電話機の通信装置間でのメール通信方法は、複数の通信装置から構成され、そのうちの１台が電話回線に接続される親機であり、それ以外の通信装置が子機であり、前記複数の通信装置が、無線通信で接続されるコードレス電話機の通信装置間でのメール通信方法において、ネットワークを介して電子メールを受信可能な電子メール受信装置と接続される前記複数の子機のうちの１台を接続子機として、前記電子メール受信装置から前記電子メールを受信したことを示す着信通知を受信すると、他の通信装置へブロードキャストで前記着信通知を通知する着信通知ステップと、前記着信通知を受信した通信装置が、電子メールの送信要求を示す送信要求通知に、認証を得るための識別情報を付加して、前記接続子機へ送信する送信要求認証ステップと、前記接続子機が、前記識別情報により認証が得られれば、電子メールを送信するメール送信ステップとを含むことを特徴とする。
【発明の効果】
【００１１】
本発明によれば、ネットワークを介して電子メールを受信して蓄積することが可能な電子メール処理装置を設置する場所が限られることなく、子機とＰＣとを接続し、他の子機を携帯していれば、電子メール処理装置に電子メールが着信したことを知ることができ、電子メールを読むことができる。
【発明を実施するための最良の形態】
【００１２】
本願の第１の発明は、電話回線に接続される親機と、親機と無線通信を行う複数の子機とで構成されるコードレス電話機において、子機は、ネットワークを介して電子メールを受信して蓄積することが可能な電子メール処理装置と通信する通信手段と、電子メール処理装置から通知される電子メールを受信したことを示す着信通知を、他の子機へ通知する着信通知手段と、着信通知を受信したことを報知する報知手段と、着信通知に応答して電子メールの送信要求を示す送信要求通知を、着信通知を送信した子機へ送信する送信要求手段と、送信要求通知に応答して電子メールを送信する電子メール処理手段と、送信要求通知に応答して受信された電子メールを表示する表示手段とを備えたことを特徴としたものである。
【００１３】
コードレス電話機の子機の通信手段が、ネットワークを介して電子メールを受信して蓄積することが可能な電子メール処理装置と通信して、着信通知手段が、電子メール処理装置から通知される電子メールを受信したことを示す着信通知を、他の子機へ通知するので、電子メール処理装置が宅内のどこの場所にあっても、子機をその場所へ持って行くことは容易なので、電子メール処理装置を設置する場所が限られることない。従って、子機を携帯していれば、電子メール処理装置に接続された子機からの着信通知により、携帯した子機の報知手段が着信通知を受信したことを報知してくれるので、容易に電子メール処理装置に電子メールが着信したことを知ることができる。
【００１４】
また、携帯した子機の送信要求手段が、電子メールの送信要求を示す送信要求通知を送信することで、この送信要求通知を受信した電子メール処理装置に接続された子機の電子メール処理手段が電子メールを送信するので、離れた場所からでも電子メールを受信して表示手段により読むことができる。
【００１５】
本願の第２の発明は、送信要求手段は、送信要求通知を送信する際に、認証を得るための識別情報を付加して着信通知を送信した子機へ送信する機能を備え、電子メール処理手段は、送信要求通知に付加された識別情報で認証が得られれば、電子メールを送信する機
能を備えたことを特徴としたものである。
【００１６】
電子メールを読むための前段階として、携帯した子機の送信要求手段が、送信要求通知を送信する際に、認証を得るための識別情報を付加して着信通知を送信した電子メール処理装置に接続された子機へ送信し、この識別情報で認証が得られれば電子メール処理手段が、電子メールを送信するので、電子メールを他の操作者に読まれることが防止できる。
【００１７】
本願の第３の発明は、電子メール処理手段は、認証を得るための識別情報を電子メール処理装置へ通信手段を介して送信し、電子メール処理装置での認証が得られれば、電子メール処理装置から電子メールを読み込んで、この電子メールを送信要求通知を送信した子機へ送信することを特徴としたものである。
【００１８】
電子メールを読むための認証を、電子メール処理装置側で行うので、電子メールを送信する子機は、操作者の識別情報を持つ必要がない。従って、事前に操作者の識別情報を登録しておくなどの作業を省略することができる。
【００１９】
本願の第４の発明は、着信通知手段は、着信通知を送信する際に、電子メールの宛先アドレスを通知する機能を備え、報知手段は、着信通知を受信したときに、宛先アドレスを表示することにより報知する機能を備えたことを特徴としたものである。
【００２０】
電子メール処理装置に接続された子機の着信通知手段が、着信通知を送信する際に、電子メールの宛先アドレスを通知し、報知手段が、着信通知を受信したときに、宛先アドレスを表示するので、自分宛であるか否かを容易に判断することができる。
【００２１】
本願の第５の発明は、複数の通信装置から構成され、そのうちの１台が電話回線に接続される親機であり、それ以外の通信装置が子機であり、複数の通信装置が、無線通信で接続されるコードレス電話機の通信装置間でのメール通信方法において、ネットワークを介して電子メールを受信可能な電子メール受信装置と接続される複数の子機のうちの１台を接続子機として、電子メール受信装置から電子メールを受信したことを示す着信通知を受信すると、他の通信装置へブロードキャストで着信通知を通知する着信通知ステップと、着信通知を受信した通信装置が、電子メールの送信要求を示す送信要求通知に、認証を得るための識別情報を付加して、接続子機へ送信する送信要求認証ステップと、接続子機が、識別情報により認証が得られれば、電子メールを送信するメール送信ステップとを含むことを特徴としたものである。
【００２２】
コードレス電話機の接続子機が、ネットワークを介して電子メールを受信して蓄積することが可能な電子メール処理装置と通信して、電子メール処理装置から通知される電子メールを受信したことを示す着信通知を、他の通信装置へ通知するので、電子メール処理装置が、例えば宅内のどこの場所にあっても、子機をその場所へ持って行くことが容易なので、電子メール処理装置を設置する場所が限られることなく、親機の近くにいたり、他の子機を携帯していれば、報知手段が着信通知を受信したことを報知してくれるので、容易に電子メール処理装置に電子メールが着信したことを知ることができる。
【００２３】
また、送信要求手段が、電子メールの送信要求を示す送信要求通知を送信することで、この送信要求通知を受信した接続子機が電子メールを送信するので、離れた場所からでも電子メールを受信して表示手段により読むことができる。
【００２４】
電子メールを読むための前段階として、送信要求通知を送信する際に、認証を得るための識別情報を付加して着信通知を送信した子機へ送信し、この識別情報で認証が得られれば、送信要求通知を送信した子機へ電子メールを送信するので、電子メールを他の操作者
に読まれることが防止できる。
【００２５】
本願の第６の発明は、送信要求認証ステップは、認証を得るための識別情報を電子メール処理装置へ送信し、電子メール処理装置での認証が得られれば、電子メール処理装置から電子メールを読み込んで、この電子メールを送信要求通知を送信した子機へ電子メールを送信することを特徴としたものである。
【００２６】
電子メールを読むための認証を、電子メール処理装置側で行うので、電子メールを送信する接続子機は、操作者の識別情報を持つ必要がない。従って、事前に操作者の識別情報を登録しておくなどの作業を省略することができる。
【００２７】
本願の第７の発明は、着信通知ステップは、着信通知を送信する際に、電子メールの宛先アドレスとともに件名情報を通知し、着信通知を受信した通信装置は、電子メールの宛先アドレスを報知手段に表示することを特徴としたものである。
【００２８】
着信通知を送信する際に、電子メールの宛先アドレスとともに件名情報を通知し、着信通知を受信したときに宛先アドレスを表示するので、自分宛であるか否かを容易に判断することができる。
【００２９】
（実施の形態）
本発明の実施の形態に係るコードレス電話機について、図１および図２に基づいて説明する。図１は、本発明の実施の形態に係るコードレス電話機システムの構成を説明する図である。図２は、本発明の実施の形態に係るコードレス電話機の子機の構成を説明する図である。
【００３０】
図１に示すように、コードレス電話機システム１は、コードレス電話機２と、ノート型のＰＣ３を備えている。コードレス電話機２は、複数の通信装置から構成され、そのうちの１台が電話回線に接続される親機４であり、それ以外の通信装置が子機５であり、子機５の中で、子機５ａが電子メール処理装置として機能するノート型のＰＣ３に接続されている。親機４と、子機５とは、ＦＨＳＳ（Frequency Hopping Spectrum Spread）や、ＤＳＳＳ（Direct Sequence Spectrum Spread）などの無線通信で、通話や情報の送受信を行っているが、他の無線通信方式でも音声やデータなどが伝送可能であれば採用可能である。本実施の形態では、親機４と子機５との通信方式としてブルートゥース（Bluetooth（登録商標））を採用しているが、この通信方式に限定されるものではない。親機４と子機５とが通信を行う場合には、親機４がマスタ、子機５がスレーブとなって通信する。
【００３１】
電子メール処理装置は、ネットワークを介して電子メールを受信して蓄積することが可能な装置である。電子メール処理装置としては、ノート型のＰＣ３の他に、デスクトップ型のＰＣや、インターネットに接続する機能を持つ携帯電話装置やＰＤＡ（Personal Digital Assistance）なども使用することができる。
【００３２】
ＰＣ３に接続された子機５ａと、子機５ａ以外の他の子機５ｂ（５ｂ−１，５ｂ−２，５ｂ−３）は同じ構成であるが、本明細書中では、便宜上、区別を容易とするために、異なる符号を付している。
【００３３】
親機４と、ＰＣ３とは、モデム６を介して電話線７で電話局８に接続されている。電話局８では、公衆交換電話網とインターネットへの接続を行っている。親機４とＰＣ３とは、本実施の形態では電話線７で交換局８に接続しているが、その他として、光ファイバーで接続するようにしてもよい。また、ＩＳＤＮ（Integrated Services Digital Network）を使用する場合には、モデム６の代わりにＴＡ（Terminal adapter）内蔵のＤＳＵ（Di
gital Service Unit）を用いる。
【００３４】
モデム６とＰＣ３とは、本実施の形態では有線通信で接続しているが、無線通信で接続してもよい。またＰＣ３と、子機５ａとは、ＵＳＢ（Universal Serial Bus）で接続されているが、データ通信可能であれば、他のシリアル通信インタフェースや、パラレルインタフェースとしてもよい。
【００３５】
ＰＣ３は、図示しないインターネットに接続されたメールサーバに着信した電子メールを、モデム６を介して通信手順ＰＯＰ（Post Office Protocol）やＩＭＡＰ４などで取り込むとともに、ＰＣ３に蓄積する。例えば、家族４人でＰＣ３を共有して使用している場合は、ＰＣ３上で動作するメールソフトが、４人のメールアカウントでそれぞれメールサーバにアクセスして電子メールを取り込むと、電子メールをそれぞれ個別に管理している。ＰＣ３は、新たに電子メールを取り込むと、着信したことを示す着信通知を、ＰＣ３に接続された接続子機である子機５ａへ通知する機能を有している。着信通知には、電子メールの宛先アドレスや、件名情報が含まれている。
【００３６】
次に、コードレス電話機２の子機５の構成について、図２に基づいて説明する。
【００３７】
子機５は、無線部１０と、表示部１１と、操作部１２と、スピーカ１３と、通信部１４と、制御部１５とを備えている。図２においては、主要な構成のみを図示しており、音声を電気信号へ変換するマイクや、通話の際に機能する音声処理部などは、便宜上、省略している。
【００３８】
無線部１０は、アンテナ１６から受信した電波の復調や、アンテナ１６へ送信する電波の変調を行う。無線部１０は、ＩＳＭバンドとよばれる、２．４０２ＧＨｚから２．４８０ＧＨｚまでの周波数帯域を使用して、例えば周波数変調方式（Frequency Shift Keying）や位相変調方式（Phase Shift Keying）で変調、復調する。この周波数帯域をＩＳＭバンド以外の帯域で使用する場合には、この無線部１０を適宜設計変更することで対応は可能である。
【００３９】
表示部１１は、ＬＣＤ（Liquid Crystal Display：液晶ディスプレイ）などであり、文字情報や画像を表示する表示手段である。また、後述する制御部１５の報知制御部が電子メールの宛先情報や、件名情報などを表示することで、操作者へ電子メールが着信していることを報知する報知手段としての機能も有している。
【００４０】
操作部１２は、電話番号を入力する場合や、認証の際の識別情報であるＩＤとパスワードとを入力する場合に使用する数字キーや機能キーなどの入力手段である。
【００４１】
スピーカ１３は、電子メールが着信したことを示す着信通知を受信した際に、音で操作者へ報知する報知手段としての機能を有している。また、通話の着信を知らせる呼び出し音も、このスピーカ１３から鳴る。
【００４２】
通信部１４は、ＰＣ３とデータの送受信を行うための通信手段である。上述したように本実施の形態では、ＵＳＢを有するＰＣ３を電子メール処理装置としているので、通信部１４はＵＳＢインタフェースの機能を備えたものとなる。ＰＣ３から電子メールが着信したことを示す着信通知は、この通信部１４を介して制御部１５へ通知される。この通信部１４としては、ＰＣ３が無線通信可能な装置であれば、無線通信でＰＣ３とデータの送受信を行う無線通信手段を採用してもよい。
【００４３】
制御部１５は、子機５全体の統括制御を行っている。制御部１５は、着信通知部１５ａ
と、報知制御部１５ｂと、送信要求部１５ｃと、電子メール処理部１５ｄとを備えている。
【００４４】
着信通知部１５ａは、ＰＣ３から通知される電子メールを受信したことを示す着信通知を通信部１４を介して受信すると、この着信通知をＰＣ３と接続されていない子機５ｂへブロードキャストで通知する。
【００４５】
報知制御部１５ｂは、着信通知があると、電子メールが着信したことを示す音をスピーカ１３から鳴らす。また表示部１１に、着信した旨のメッセージを表示するとともに、ＰＣ３から通知される着信通知に含まれる電子メールの宛先アドレスや、件名情報を表示する。
【００４６】
送信要求部１５ｃは、報知手段である表示部１１やスピーカ１３から電子メールを着信したことを知った操作者が、電子メールの受信を要求する際に、操作者のＩＤおよびパスワードを、操作部１２を操作して入力することで、電子メールの送信要求を示す送信要求通知を、無線部１０を介して送信する機能を有している。
【００４７】
電子メール処理部１５ｄは、無線部１０を介して送信要求通知を受信すると、通信部１４を介して送信要求通知に付加されたＩＤおよびパスワードをＰＣ３へ送信する。そしてＰＣ３で認証が得られた旨の通知を受信すると、電子メールの本文をＰＣ３から受信して、送信要求通知を送信した子機５ｂへ送信する機能を有している。
【００４８】
以上のように構成される本発明の実施の形態に係るコードレス電話機２の子機５の動作を図３に基づいて説明する。図３は、本発明の実施の形態に係るコードレス電話機の子機の動作を説明するシーケンスチャートである。
【００４９】
コードレス電話機２の子機５の動作を説明する図３においては、接続子機を子機５ａとし、電子メールを見る操作者は子機５ｂ−１を携帯しているものとする。
【００５０】
図３に示すように、まずＰＣ３が、インターネットを介して子機５ｂ−１を携帯している操作者の電子メールを受信する（Ｓ１０）。ＰＣ３はこの電子メールを受信したことを契機に、接続子機である子機５ａの通信部１４にＵＳＢでの接続要求を送信する。子機５ａの通信部１４は、この接続要求に応答して接続応答を返信して、リンクを確立する（Ｓ２０）。
【００５１】
リンクが確立されたことでＰＣ３は、電子メールが着信したことを示す着信通知を子機５ａへ送信する。子機５ａの着信通知部１５ａは、ＰＣ３からの着信通知を受信すると、着信通知を受信できたこと示す受信応答をＰＣ３へ返信する（Ｓ３０）。そして着信通知部１５ａは、この着信通知をブロードキャストで子機５ｂ（５ｂ−１，５ｂ−２，５ｂ−３）へ送信する。このブロードキャストで着信通知を送信する場合には、子機５がマスタ、親機がスレーブとなって通信が行われる（Ｓ４０）。
【００５２】
子機５ｂ−１の報知制御部１５ｂは、着信通知を無線部１０を介して受信すると、電子メールが着信したことを示す音をスピーカ１３から鳴らす。また報知制御部１５ｂは、着信した旨のメッセージを表示するとともに、ＰＣ３から通知される着信通知に含まれる電子メールの宛先アドレスや、件名情報を表示部１１であるＬＣＤに表示する（Ｓ５０）。
【００５３】
子機５ｂ−１を携帯する操作者は、表示部１１を参照して、電子メールの宛先アドレスを見て自分宛であることを認識すると、電子メール受信するための操作としてＩＤとパスワードを操作部１２を操作して入力する（Ｓ６０）。この入力されたＩＤとパスワードは
、子機５ｂ−１の送信要求部１５ｃが、送信要求通知とともに子機５ａへ送信する。この送信要求通知には、どの子機５ｂまたは親機４から送信されたことを容易に判別可能とするために、子機５ｂ−１と他の子機５ｂを識別する通信装置ＩＤも付加されている（Ｓ７０）。
【００５４】
子機５ａの電子メール処理部１５ｄは、送信要求通知に付加されたＩＤおよびパスワードをＰＣ３へ送信して認証要求を行う。そしてＰＣ３にて、このＩＤおよびパスワードで認証が得られれば、認証できた旨の通知を子機５ａへ送信する（Ｓ８０）。
【００５５】
子機５ａの電子メール処理部１５ｄは、認証が得られた旨の通知を、送信要求通知に付加された通信装置ＩＤを参照して送信するとともに（Ｓ９０）、ＰＣ３へ電子メールを読み込む要求を送信する（Ｓ１００）。
【００５６】
子機５ｂ−１は、認証が得られた旨の通知を受信すると、電子メールの受信待機状態となる（Ｓ１１０）。
【００５７】
子機５ａの電子メール処理部１５ｄは、ＰＣ３から電子メールを読み込む（Ｓ１２０）。そして子機５ａは、電子メールの全てを読み込み終えると、電子メール受信完了を示す旨の通知をＰＣ３へ送信する（Ｓ１３０）。
【００５８】
子機５ａの電子メール処理部１５ｄは、ＰＣ３から受信した電子メールを子機５ｂ−１へ送信する（Ｓ１４０）。
【００５９】
子機５ｂ−１の電子メール処理部１５ｄは、子機５ａから受信した電子メールの本文を表示部１１であるＬＣＤへ表示する（Ｓ１５０）。表示完了すると電子メール処理部１５ｄは、受信完了した旨の通知を子機５ａへ送信する（Ｓ１６０）。
【００６０】
子機５ａの電子メール処理部１５ｄは、子機５ｂ−１から送信された受信完了した旨の通知を受信すると、電子メールの転送が完了した旨の通知をＰＣ３へ送信する。ＰＣ３は、この通知により、送信した電子メールを未読の状態から既読の状態へステータスを変更する（Ｓ１７０）。
【００６１】
次に、それぞれのＰＣ３、子機５ａおよび子機５ｂのそれぞれの動作を図４から図６に基づいて説明する。図４（ａ）は電子メール処理装置であるＰＣにおいて電子メールを受信したときのフローチャート、（ｂ）は電子メール処理装置であるＰＣにおいて電子メールの要求通知を受信したときのフローチャートである。図５は、ＰＣに接続される子機の動作を説明するフローチャートである。図６は、ＰＣと接続されていない子機の動作を説明するフローチャートである。
【００６２】
まずＰＣ３の動作を図４（ａ）および同図（ｂ）に基づいて説明する。図４（ａ）に示すように、ＰＣ３は、インターネットに接続されたメールサーバに通信手順ＰＯＰやＩＭＡＰ４などのメールサーバに応じた通信手順でアクセスして、新たに着信した電子メールがあると、その電子メールを受信する（Ｓ２００）。
【００６３】
ＰＣ３は、ＵＳＢインタフェースを介して子機５ａが接続されているか否かを判定する（Ｓ２１０）。
【００６４】
Ｓ２１０にて、子機５ａが接続されていないと判定された場合に、この処理を終了する。子機５ａが接続されていると判定された場合は、ＰＣ３は、電子メールを受信したことを示す着信通知に、この電子メールの宛先アドレスおよび件名情報を付加して子機５ａへ
送信する（Ｓ２２０）。
【００６５】
図４（ｂ）に示すように、ＰＣ３は、着信通知を送信した後に、子機５ａからの電子メールの送信要求待ちとなり、要求通知（認証要求）が受信されなければ、この処理を繰り返す（Ｓ２３０）。
【００６６】
要求通知があると、ＰＣ３はこの要求通知に付加された操作者のＩＤとパスワードで認証を行う。そして認証が得られなければ、得られない旨の通知を子機５ａへ送信してこの処理を終了する（Ｓ２４０）。
【００６７】
Ｓ２４０にて、認証が得られれば、ＰＣ３は電子メールを子機５ａへ送信する（Ｓ２５０）。
【００６８】
このように認証をＰＣ３側で行うので、子機５ａに認証するためのＩＤおよびパスワードを持たせる必要がない。従って、子機５ａの登録設定など煩雑な作業が不要である。
【００６９】
次に、ＰＣ３に接続される子機５ａの動作を図５に基づいて説明する。図５に示すように、子機５ａは、ＰＣ３と接続されているかを判定する。ＰＣ３と接続されていない場合には、この処理を終了する（Ｓ３００）。
【００７０】
子機５ａは、電子メールが受信したことを示す着信通知が、ＰＣ３から受信されているかを判定する。着信通知を受信していない場合には、この処理を終了する（Ｓ３１０）。
【００７１】
ＰＣ３からの着信通知を受信している場合には、子機５ａの着信通知部１５ａは、電子メールの着信通知を子機５ｂへブロードキャストで送信する（Ｓ３２０）。
【００７２】
子機５ｂから認証要求である電子メールの送信要求通知が受信されたら、この送信要求通知に付加されたＩＤおよびパスワードをＰＣ３へ中継する（Ｓ３３０）。
【００７３】
ＰＣ３へ中継したＩＤおよびパスワードにて認証が得られれば、電子メールの本文を読み込むために、要求する旨の通知をＰＣ３へ送信する（Ｓ３４０）。
【００７４】
ＰＣ３から電子メールの本文を受信すると（Ｓ３５０）、電子メール受信完了を示す旨の通知をＰＣ３へ送信する（Ｓ３６０）。
【００７５】
そして、ＰＣ３から受信した電子メールを子機５ｂ−１へ送信する。この送信先の通信装置は、Ｓ３３０での送信要求通知に付加された通信装置ＩＤを参照することで、子機５ｂ−１であると認識することができる（Ｓ３７０）。
【００７６】
子機５ｂ−１からの電子メールを受信完了した旨の通知を受信すると（Ｓ３８０）、ＰＣ３へ、電子メールの転送が完了した旨の通知をＰＣ３へ送信する（Ｓ３９０）。
【００７７】
次に、ＰＣ３と接続されていない子機５ｂの動作を図６に基づいて説明する。図６に示すように、子機５ａから着信通知を受信すると（Ｓ４００）、子機５ｂ−１の報知制御部１５ｂは、表示部１１であるＬＣＤに電子メールが着信した旨の表示を行う。この表示は、電子メールが着信ことを示すメッセージと、宛先アドレスと、件名情報を表示する（Ｓ４１０）。この際に、報知制御部１５ｂは、表示を行うとともに、スピーカ１３から音と鳴らすことで報知することもできる。
【００７８】
操作者は、このＬＣＤに表示された内容から自分宛である場合には、操作部１２を操作
して、ＩＤおよびパスワードを入力する。この入力により電子メール処理部１５ｄがＩＤおよびパスワードを付加して送信要求通知を子機５ａへ送信する（Ｓ４２０）。
【００７９】
子機５ａがＩＤパスワードをＰＣ３へ中継して、ＰＣ３側にて認証が得られれば、送信された電子メールの本文を電子メール処理部１５ｄが受信して、表示部１１に表示する（Ｓ４３０）。
【００８０】
以上、本発明の実施の形態では、子機５ａから子機５ｂへ電子メールを送信したが、親機４に図２で示される構成を備えることで、子機５ａから親機４との間でも電子メールを送信することが可能である。また、着信通知を送信する際に、着信通知に宛先アドレスと件名情報を付加して送信するようにしているが、件名情報を子機５ｂの表示部１１に表示することで、プライバシーが保てないようであれば、宛先アドレスのみとすることもできる。
【００８１】
また、本発明の実施の形態では、コードレス電話機２は、アナログ回線である一般電話回線やＩＳＤＮ回線との発信または着信を行うコードレス電話機としたが、ルータなどにイーサネット（登録商標）で接続して、インターネットへ発信、またはインターネットから着信するコードレスＩＰ電話機としても、この技術を適用することは可能である。
【産業上の利用可能性】
【００８２】
本発明は、子機を携帯していれば電子メール処理装置に電子メールが着信したことを知ることができるので、電話回線に接続される親機と無線通信を行い、ネットワークを介して電子メールを受信して蓄積することが可能な電子メール処理装置と通信することが可能なコードレス電話機に好適である。
【図面の簡単な説明】
【００８３】
【図１】本発明の実施の形態に係るコードレス電話機システムの構成を説明する図
【図２】本発明の実施の形態に係るコードレス電話機の子機の構成を説明する図
【図３】本発明の実施の形態に係るコードレス電話機の子機の動作を説明するシーケンスチャート
【図４】（ａ）電子メール処理装置であるＰＣにおいて電子メールを受信したときのフローチャート、（ｂ）電子メール処理装置であるＰＣにおいて電子メールの要求通知を受信したときのフローチャート
【図５】ＰＣに接続される子機の動作を説明するフローチャート
【図６】ＰＣと接続されていない子機の動作を説明するフローチャート
【符号の説明】
【００８４】
１    コードレス電話機システム
２    コードレス電話機
３    パーソナルコンピュータ（ＰＣ）
４    親機
５，５ａ，５ｂ，５ｂ−１，５ｂ−２，５ｂ−３    子機
６    モデム
７    電話線
８    交換局
１０    無線部
１１    表示部
１２    操作部
１３    スピーカ
１４    通信部
１５    制御部
１５ａ    着信通知部
１５ｂ    報知制御部
１５ｃ    送信要求部
１５ｄ    電子メール処理部
１６    アンテナ
【図１】
2006135476.tif 000003
【図２】
2006135476.tif 000004
【図３】
2006135476.tif 000005
【図４】
2006135476.tif 000006
【図５】
2006135476.tif 000007
【図６】
2006135476.tif 000008